(57)【要約】【課題】フィクスチャーとアバットメントの連結を堅固に維持できるインプラントを提供する。【解決手段】骨に埋め込まれるインプラント１であって、中心穴１３が全長にわたって貫通するフィクスチャー本体１１と、中心穴１３の根端側開口を閉塞する蓋体２１と、中心穴１３の先端側に配置されるアバットメント３０と、蓋体２１とアバットメント３０に連結し、蓋体２１とアバットメント３０を引き寄せてフィクスチャー本体１１に押し付ける弾性部材４０と、を備える。【選択図】図２
2018015596.tif 000002
【特許請求の範囲】
【請求項１】
骨に埋め込まれるインプラントであって、
中心穴が全長にわたって貫通するフィクスチャー本体と、
前記中心穴の根端側開口を閉塞する蓋体と、
前記中心穴の先端側に配置されるアバットメントと、
前記蓋体と前記アバットメントに連結し、前記蓋体と前記アバットメントを引き寄せて前記フィクスチャー本体に押し付ける弾性部材と、
を備えるインプラント。
【請求項２】
前記弾性部材は、連結ネジであり、
前記蓋体と前記アバットメントにそれぞれ形成されたネジに螺合する請求項１に記載のインプラント。
【請求項３】
前記ネジは、前記蓋体の先端と前記アバットメントの根端にそれぞれ形成される請求項２に記載のインプラント。
【請求項４】
前記弾性部材は、熱可塑性樹脂からなる請求項１から３のうちいずれか一項に記載のインプラント。
【請求項５】
前記弾性部材は、ポリエーテルエーテルケトン樹脂からなる請求項４に記載のインプラント。
【請求項６】
前記蓋体は、前記中心穴に嵌合する第一軸部を有する請求項１から５のうちいずれか一項に記載のインプラント。
【請求項７】
前記中心穴は、根端側から先端側に向かって縮径する第一テーパー穴部を有し、
前記第一軸部は、根端側から先端側に向かって縮径する第一テーパー軸部を有する請求項６に記載のインプラント。
【請求項８】
前記第一テーパー穴部と前記第一テーパー軸部は、テーパー角が０．１°から１０°に形成される請求項７に記載のインプラント。
【請求項９】
前記第一テーパー穴部と前記第一テーパー軸部は、前記フィクスチャー本体の全長の２０％以上、５０％以下の長さである請求項７または８に記載のインプラント。
【請求項１０】
前記フィクスチャー本体は、前記中心穴の内面に形成された被係止部を備え、
前記蓋体は、前記第一軸部に形成された係止部を備え、
前記被係止部と前記係止部が当接して、前記フィクスチャー本体に対する前記蓋体の回転が抑止される請求項６から９のうちいずれか一項に記載のインプラント。
【請求項１１】
前記中心穴は、先端側から根端側に向かって縮径する第二テーパー穴部を有し、
前記アバットメントは、前記中心穴に嵌合する第二軸部を有し、
前記第二軸部は、先端側から根端側に向かって縮径する第二テーパー軸部を有する請求項７に記載のインプラント。
【請求項１２】
前記第二テーパー穴部と前記第二テーパー軸部は、テーパー角が０.１°から１０°である請求項１１に記載のインプラント。
【請求項１３】
前記第二テーパー穴部と前記第二テーパー軸部は、前記フィクスチャー本体の全長の４０％以上、７０％以下の長さである請求項１１または１２に記載のインプラント。
【請求項１４】
歯槽骨に埋め込まれる歯科用インプラントである請求項１から１３のうちいずれか一項に記載のインプラント。
【発明の詳細な説明】
【技術分野】
【０００１】
本発明は、インプラントに関する。例えば顎の骨に埋め込まれる歯科用インプラントに関する。
【背景技術】
【０００２】
体内に埋め込まれるインプラントが注目されている。例えば歯科用インプラントは、虫歯や破損により永久歯の歯根が失われた場合に、歯槽骨に設けた穴に挿入して固定される。
この歯科用インプラントは、歯槽骨に固定されるフィクスチャー（人工歯根）と、フィクスチャーに連結されるアバットメント（支台）とで構成される。アバットメントには、インプラントクラウン（人工歯冠）が装着される。
歯科用インプラント（フィクスチャー、アバットメント）は、チタンやチタン合金等の金属の他、アルミナやジルコニア等のセラミックスにより形成される。
【０００３】
特許文献１に記載されるように、フィクスチャーは、先端面に開口する中心穴を有する。中心穴には、テーパー穴部が形成される。アバットメントにはテーパー軸部が形成され、中心穴に挿入されてテーパー穴部に嵌合する。
【０００４】
フィクスチャーの中心穴にアバットメントを差し込むことにより、テーパー穴部にテーパー軸部が楔状に入り込む。これにより、フィクスチャーとアバットメントが連結する。テーパー穴部とテーパー軸部は、密着して咬合圧を繰り返し受ける。
【先行技術文献】
【特許文献】
【０００５】
【特許文献１】特開２００４−１１３７１８号公報
【発明の概要】
【発明が解決しようとする課題】
【０００６】
フィクスチャーとアバットメントは、ネジ締結されることが多い。フィクスチャーにアバットメントを螺合して連結する。
しかし、例えばセラミックス製のインプラントは、殆ど弾性変形しないため、高い締結力が得られない。このため、フィクスチャーとアバットメントの連結が不安定になってしまうという問題がある。
【０００７】
さらに、歯科用インプラントでは、噛み合わせの際に、天然歯とは異なる音（噛み合い音）が発生するという問題がある。歯科用インプラントの噛み合い音は、患者自身が不快に思うばかりでなく、周囲の人々をも不快にさせてしまう。
しかし、歯科用インプラントが発生させる不快な噛み合い音については、何ら対策が講じられていない。
【０００８】
本発明は、フィクスチャーとアバットメントの連結を堅固に維持できるインプラントを提供することを目的とする。
さらに、本発明は、不快な噛み合い音を軽減することができるインプラントを提供することを目的とする。
【課題を解決するための手段】
【０００９】
本発明に係るインプラントの第一実施態様は、骨に埋め込まれるインプラントであって、中心穴が全長にわたって貫通するフィクスチャー本体と、前記中心穴の根端側開口を閉塞する蓋体と、前記中心穴の先端側に配置されるアバットメントと、
前記蓋体と前記アバットメントに連結し、前記蓋体と前記アバットメントを引き寄せて前記フィクスチャー本体に押し付ける弾性部材と、
を備えるインプラント。
【００１０】
本発明に係るインプラントの第二実施態様は、第一実施態様において、前記弾性部材は、連結ネジであり、前記蓋体と前記アバットメントにそれぞれ形成されたネジに螺合することを特徴とする。
【００１１】
本発明に係るインプラントの第三実施態様は、第二実施態様において、前記ネジは、前記蓋体の先端と前記アバットメントの根端にそれぞれ形成されることを特徴とする。
【００１２】
本発明に係るインプラントの第四実施態様は、第一から第三実施態様のいずれかにおいて、前記弾性部材は、熱可塑性樹脂からなることを特徴とする。
【００１３】
本発明に係るインプラントの第五実施態様は、第四実施態様において、前記弾性部材は、ポリエーテルエーテルケトン樹脂からなることを特徴とする。
【００１４】
本発明に係るインプラントの第六実施態様は、第一から第五実施態様のいずれかにおいて、前記蓋体は、前記中心穴に嵌合する第一軸部を有することを特徴とする。
【００１５】
本発明に係るインプラントの第七実施態様は、第六実施態様において、前記中心穴は、根端側から先端側に向かって縮径する第一テーパー穴部を有し、前記第一軸部は、根端側から先端側に向かって縮径する第一テーパー軸部を有することを特徴とする。
【００１６】
本発明に係るインプラントの第八実施態様は、第七実施態様において、前記第一テーパー穴部と前記第一テーパー軸部は、テーパー角が０．１°から１０°に形成されることを特徴とする。
【００１７】
本発明に係るインプラントの第九実施態様は、第七または第八実施態様において、前記第一テーパー穴部と前記第一テーパー軸部は、前記フィクスチャー本体の全長の２０％以上、５０％以下の長さであることを特徴とする。
【００１８】
本発明に係るインプラントの第十実施態様は、第七から第九実施態様のいずれかにおいて、前記フィクスチャー本体は、前記中心穴の内面に形成された被係止部を備え、前記蓋体は、前記第一軸部に形成された係止部を備え、前記被係止部と前記係止部が当接して、前記フィクスチャー本体に対する前記蓋体の回転が抑止されることを特徴とする。
【００１９】
本発明に係るインプラントの第十一実施態様は、第七から第十実施態様のいずれかにおいて、前記中心穴は、先端側から根端側に向かって縮径する第二テーパー穴部を有し、前記アバットメントは、前記中心穴に嵌合する第二軸部を有し、前記第二軸部は、先端側から根端側に向かって縮径する第二テーパー軸部を有することを特徴とする。
【００２０】
本発明に係るインプラントの第十二実施態様は、第十一実施態様において、前記第二テーパー穴部と前記第二テーパー軸部は、テーパー角が０.１°から１０°であることを特徴とする。
【００２１】
本発明に係るインプラントの第十三実施態様は、第十一または十二実施態様において、前記第二テーパー穴部と前記第二テーパー軸部は、前記フィクスチャー本体の全長の４０％以上、７０％以下の長さであることを特徴とする。
【００２２】
本発明に係るインプラントの第十四実施態様は、第一から第一三実施態様のいずれかにおいて、歯槽骨に埋め込まれる歯科用インプラントであることを特徴とする。
【発明の効果】
【００２３】
本発明によれば、インプラントは、フィクスチャーとアバットメントを弾性部材により連結したので、堅固な連結状態を長期間に亘って維持できる。歯科用インプラントは、弾性部材が噛み合いによる振動を低減して、不快な噛み合い音の発生を抑制（軽減）できる。
【図面の簡単な説明】
【００２４】
【図１】本発明の実施形態に係る歯科用インプラント１を示す図である。
【図２】歯科用インプラント１を示す縦断面図である。
【図３】フィクスチャー本体１１を示す図であって、（ａ）斜視図、（ｂ）正面図、（ｃ）上面図、（ｄ）下面図、（ｅ）IIIe-IIIe断面図である。
【図４】蓋体２１を示す図であって、（ａ）斜視図、（ｂ）正面図、（ｃ）上面図、（ｄ）IVd-IVd断面図である。
【図５】アバットメント３０を示す図であって、（ａ）斜視図、（ｂ）正面図、（ｃ）下面図、（ｄ）Vd-Vd断面図である。
【図６】連結ネジ４０を示す図であって、（ａ）斜視図、（ｂ）正面図、（ｃ）上面図、（ｄ）下面図、（ｅ）VIe-VIe断面図である。
【図７】カバー部材９０を連結したフィクスチャー１０を示す縦断面図である。
【発明を実施するための形態】
【００２５】
本発明の実施形態につき図面を参照して説明する。下記説明において示す各種寸法等は一例である。
【００２６】
〔歯科用インプラント１〕
図１は、本発明の実施形態に係る歯科用インプラント１を示す図である。
図２は、歯科用インプラント１を示す縦断面図である。
【００２７】
歯科用インプラント（インプラント）１は、歯槽骨（骨）Ｈに固定されるフィクスチャー１０と、フィクスチャー１０に嵌合するアバットメント３０と、を備える。アバットメント３０には、インプラントクラウン６が装着される。
インプラントクラウン６よりも根端側は、歯茎Ｓに覆われる。
【００２８】
歯科用インプラント１の長手方向（中心軸Ｃに沿う方向）をＺ方向または縦と言う。
Ｚ方向のうち、インプラントクラウン６側を−Ｚ方向または先端側と言う。−Ｚ方向の端部を先端（第一端）と言う。Ｚ方向のうち、フィクスチャー１０側を＋Ｚ方向または根端側と言う。＋Ｚ方向の端部を根端（第二端）と言う。−Ｚ方向から見たときを上面図、＋Ｚ方向から見たときを下面図と言う。
Ｚ方向に直行する方向を半径方向と言う。中心軸Ｃ周りの方向を周方向と言う。
【００２９】
〔フィクスチャー１０〕
図３は、フィクスチャー本体１１を示す図であって、（ａ）斜視図、（ｂ）正面図、（ｃ）上面図、（ｄ）下面図、（ｅ）IIIe-IIIe断面図である。
図４は、蓋体２１を示す図であって、（ａ）斜視図、（ｂ）正面図、（ｃ）上面図、（ｄ）IVd-IVd断面図である。
【００３０】
フィクスチャー１０は、外周面に雄ネジ１２が形成された軸形部材であり、＋Ｚ方向に掘り込まれた不貫通の中心穴１３を有する。フィクスチャー１０は、外径が最大約４．０ｍｍ、全長が約１０．０ｍｍである。
フィクスチャー１０は、フィクスチャー本体１１と蓋体２１を備える。
【００３１】
フィクスチャー本体１１は、円筒形部材であり、ジルコニア等のセラミックス材料により形成される。フィクスチャー本体１１は、外径が最大約４．０ｍｍ、全長が約９．０ｍｍである。
フィクスチャー本体１１の外周面には、雄ネジ１２が形成される。
【００３２】
フィクスチャー本体１１の先端面１１ａと根端面１１ｂには、中心穴１３が開口する。中心穴１３は、フィクスチャー本体１１をＺ方向に沿って貫く貫通孔である。中心穴１３は、内径が最小約２．１ｍｍである。
中心穴１３は、中央部の内径が小さく、根端側と先端側に向かうにしたがって内径が徐々に拡大（拡径）する。中心穴１３には、根端側から先端側に向かって、第一テーパー穴部１４、第二テーパー穴部１５が連続して形成される。
【００３３】
第一テーパー穴部１４は、根端面１１ｂから−Ｚ方向に向かうにしたがって内径が徐々に縮小（縮径）する。
第一テーパー穴部１４のテーパー角は、約６°である。テーパー角は、０．１°から１０°が好ましい。第一テーパー穴部１４の長さ（深さ）は、約４．０ｍｍである。第一テーパー穴部１４の長さは、フィクスチャー本体１１の全長の２０％以上（約１．８ｍｍ）、５０％以下（約４．５ｍｍ）が好ましい。
【００３４】
第二テーパー穴部１５は、先端面１１ａから＋Ｚ方向に向かうにしたがって内径が徐々に縮小（縮径）する。
第二テーパー穴部１５のテーパー角は、約６°である。テーパー角は、０．１°から１０°が好ましい。第二テーパー穴部１５の長さ（深さ）は、約５．０ｍｍである。第二テーパー穴部１５の長さは、フィクスチャー本体１１の全長の４０％以上（約３．６ｍｍ）、７０％以下（約６．３ｍｍ）が好ましい。
第二テーパー穴部１５を第一テーパー穴部１４よりも長くするのは、第二テーパー穴部１５に大きな荷重（咬合圧）が掛かるからである。
【００３５】
第一テーパー穴部１４の先端側には、六角穴部（被係止部）１７が形成される。六角穴部１７は、第一テーパー穴部１４の内周面から半径方向の内側（中心軸Ｃに近づく方向）に突出する６つの係止爪１８からなる。この６つの係止爪１８により、六角形の穴部が形成される。
この六角穴部１７（係止爪１８）には、蓋体２１が係止する。
【００３６】
蓋体２１は、フィクスチャー本体１１の根端面１１ｂに装着される傘形部材であり、ジルコニア等のセラミックス材料により形成される。蓋体２１は、全長が約４．９ｍｍである。
蓋体２１は、傘部２２と第一軸部２４を有する。
【００３７】
傘部２２は、円錐台形の部位である。傘部２２は、根端面１１ｂに密着して、フィクスチャー本体１１の根端側に露出する。
傘部２２は、外径が最大約３．２ｍｍ、全長が約１．０ｍｍである。
【００３８】
第一軸部２４は、円柱形の部位であり、傘部２２から−Ｚ方向に延出する。第一軸部２４は、第一テーパー軸部２５と六角軸部２７からなる。
【００３９】
第一テーパー軸部２５は、第一軸部２４の全長に亘る部位であり、‐Ｚ方向に向かうにしたがって外径が徐々に縮小（縮径）する。
第一テーパー軸部２５は、フィクスチャー本体１１の中心穴１３に挿入されて、中心穴１３の根端側開口（第一テーパー穴部１４）を閉塞する。
第一テーパー軸部２５は、外径が最大約２．４ｍｍである。第一テーパー軸部２５のテーパー角は、約６°である。テーパー角は、０．１°から１０°が好ましい。第一テーパー軸部２５の長さは、約３．９ｍｍである。第一テーパー軸部２５の長さは、フィクスチャー本体１１の全長の２０％以上（約１．８ｍｍ）、５０％以下（約４．５ｍｍ）が好ましい。
第一テーパー軸部２５は、長さと角度が第一テーパー穴部１４と同一であり、第一テーパー穴部１４に密着（テーパー嵌合）する。
【００４０】
六角軸部（係止部）２７は、第一テーパー軸部２５の先端側に形成される。六角軸部２７は、第一テーパー軸部２５の外周面から半径方向の内側（中心軸Ｃに近づく方向）に窪む６つの係止溝２８からなる。この６つの係止溝２８により、六角形の軸部が形成される。
六角軸部２７に対して、六角穴部１７が嵌め入れられる。六角穴部１７と六角軸部２７は、係止爪１８と係止溝２８を当接させることにより、フィクスチャー本体１１に対する蓋体２１の周方向の回転を防止する回転防止機構となる。
【００４１】
蓋体２１（第一テーパー軸部２５）の先端面２１ａには、雌ネジ２６が設けられる。雌ネジ２６は、先端面２１ａから＋Ｚ方向に掘り込まれる。雌ネジ２６のサイズは、例えばＭ１．４Ｐ０．５である。
【００４２】
フィクスチャー１０は、フィクスチャー本体１１の第一テーパー穴部１４に蓋体２１の第一テーパー軸部２５を挿入し、六角穴部１７に六角軸部２７を嵌め入れることにより、組み立てられる。
第一テーパー穴部１４と第一テーパー軸部２５が密着（テーパー嵌合）するので、フィクスチャー本体１１と蓋体２１は強固に連結される。また、係止爪１８と係止溝２８が当接するので、フィクスチャー本体１１に対して蓋体２１が周方向に回転しない。
第一テーパー穴部１４が第一テーパー軸部２５によりほぼ完全に閉塞される。これにより、蓋体２１の先端面２１ａが中心穴１３の底面になり、中心穴１３が第二テーパー穴部１５のみになる。したがって、中心穴１３が不貫通穴になる。
【００４３】
〔アバットメント３０〕
図５は、アバットメント３０を示す図であって、（ａ）斜視図、（ｂ）正面図、（ｃ）下面図、（ｄ）Vd-Vd断面図である。
【００４４】
アバットメント３０は、軸形部材であり、ジルコニア等のセラミックス材料により形成される。アバットメント３０は、根端側がフィクスチャー１０の中心穴１３に嵌め込まれ、先端側がフィクスチャー１０の先端側に露出して、インプラントクラウン６が装着される。
アバットメント３０は、本体部３１と第二テーパー軸部３５を有する。
【００４５】
本体部３１は、略円錐台形の部位であり、フィクスチャー１０から露出する。本体部３１には、接着剤やセメント等を用いてインプラントクラウン６が固定される。
【００４６】
第二テーパー軸部（第二軸部）３５は、円柱形の部位であり、本体部３１から＋Ｚ方向に延出する。第二テーパー軸部３５は、Ｚ方向に向かうにしたがって外径が徐々に縮小（縮径）する。
第二テーパー軸部３５は、フィクスチャー本体１１の中心穴１３に挿入されて、先端側開口（第二テーパー穴部１５）を閉塞する。
第二テーパー軸部３５は、外径が最大約２．４ｍｍである。第二テーパー軸部３５のテーパー角は、約６°である。テーパー角は、０．１°から１０°が好ましい。第二テーパー軸部３５の長さは、約５．０ｍｍである。第二テーパー軸部３５の長さは、フィクスチャー本体１１の全長の４０％以上（約３．６ｍｍ）、７０％以下（約６．３ｍｍ）が好ましい。
第二テーパー軸部３５は、長さと角度が第二テーパー穴部１５と同一であり、第二テーパー穴部１５に密着（テーパー嵌合）する。
【００４７】
アバットメント３０（第二テーパー軸部３５）の根端面３０ｂには、雌ネジ３６が設けられる。雌ネジ３６は、根端面３０ｂから‐Ｚ方向に掘り込まれる。雌ネジ３６のサイズは、例えばＭ１．４Ｐ０．５である。
この根端面３０ｂは、中心穴１３の底面（先端面２１ａ）に近接するように配置される。
【００４８】
〔連結ネジ４０〕
図６は、連結ネジ４０を示す図であって、（ａ）斜視図、（ｂ）正面図、（ｃ）上面図、（ｄ）下面図、（ｅ）VIe-VIe断面図である。
連結ネジ（弾性部材）４０は、フィクスチャー１０とアバットメント３０の間に配置される略円柱形部材である。連結ネジ４０は、いわゆるネジ軸であり、略全長に亘って雄ネジ４２が形成される。
【００４９】
連結ネジ４０は、フィクスチャー１０とアバットメント３０に連結する。連結ネジ４０は、蓋体２１の雌ネジ２６とアバットメント３０の雌ネジ３６にそれぞれ螺合する。蓋体２１とアバットメント３０が連結ネジ４０を介して連結される。
【００５０】
連結ネジ４０は、フィクスチャー本体１１等よりも弾性率が高い材料により形成される。連結ネジ４０は、エンジニアリングプラスチックからなる。連結ネジ４０は、例えば熱可塑性樹脂からなる。特に、連結ネジ４０には、ポリエーテルエーテルケトン（PEEK：Poly Ether Ether Ketone）が好適である。ポリエーテルエーテルケトンは、耐疲労性、耐磨耗性、耐薬品性、耐放射線性、加工性、寸法安定性が高い。
【００５１】
連結ネジ４０は、雌ネジ２６と雌ネジ３６にそれぞれ螺合することにより、弾性変形する（伸びる）。連結ネジ４０は、雌ネジ２６と雌ネジ３６にそれぞれ螺合した状態で、常に弾性変形の復元力（軸力）を発生する。
連結ネジ４０は、この軸力により、蓋体２１とアバットメント３０を引き寄せる。連結ネジ４０は、蓋体２１とアバットメント３０をフィクスチャー本体１１に向けて引き付ける。これにより、第一テーパー軸部２５が第一テーパー穴部１４に押し付けられ、第二テーパー軸部３５が第二テーパー穴部１５に押し付けられる。
【００５２】
連結ネジ４０は、雌ネジ２６と雌ネジ３６にそれぞれ螺合した状態で軸力を発生する。これにより、雄ネジ４２は、雌ネジ２６と雌ネジ３６に常に密着して、ねじの緩みが殆ど発生しない。
【００５３】
連結ネジ４０のが、先端には六角穴４３が、根端には六角頭４４がそれぞれ形成される。
六角穴４３は、連結ネジ４０をアバットメント３０に取り付ける（組立）ときに用いられる。連結ネジ４０を雌ネジ３６に取り付ける際に、六角穴４３に六角レンチ（不図示）を挿入して、連結ネジ４０に回転力を付与する。
六角頭４４は、連結ネジ４０をフィクスチャー１０から取り外す（分解）ときに用いられる。連結ネジ４０を雌ネジ２６から取り外す際に、六角穴４３に六角穴付レンチ（不図示）を挿入して、連結ネジ４０に回転力を付与する。
【００５４】
〔歯科用インプラント１の製造方法〕
歯科用インプラント１の各部材は、ジルコニア（酸化ジルコニウム）を主成分とする生体適合性セラミックスにより形成（成形）される。
フィクスチャー１０（フィクスチャー本体１１、蓋体２１）の製造工程は、成形工程、焼結工程を有する。さらに、各種加工工程、洗浄工程、組立工程、γ線殺菌工程、加熱工程を有する。
アバットメント３０の製造工程は、フィクスチャー１０の製造工程と同一であるため、説明を省略する。
【００５５】
成形工程では、ジルコニア粉末を含むペレットを射出成形して、ジルコニア成形体（セラミックス成形体）を得る。つまり、フィクスチャー本体１１、蓋体２１の成形体を得る。
次に、焼結工程では、このジルコニア成形体に対して予備焼結処理と本焼結処理を施す。例えば１５００℃以上の温度で焼結する。これにより、ジルコニア焼結体（セラミックス焼結体）を得る。つまり、フィクスチャー本体１１、蓋体２１の焼結体を得る。
【００５６】
その後に、各種加工工程、洗浄工程を行う。
各種加工工程では、フィクスチャー本体１１、蓋体２１の焼結体に対して、粗面化処理等が施される。粗面化処理は、例えばレーザ非熱加工である。
【００５７】
次に、組立工程では、フィクスチャー本体１１の根端側に蓋体２１を装着する。中心穴１３の第一テーパー穴部１４に第一テーパー軸部２５を挿入し、六角穴部１７に六角軸部２７を嵌め入れる。
次に、マウント部材（不図示）を中心穴１３の第二テーパー穴部１５に挿入して、蓋体２１の雌ネジ２６に螺合する。
マウント部材は、アバットメント３０の代わりに第二テーパー穴部１５を閉塞する（図７参照）。マウント部材は、軸部、雄ネジ、グリップを有する部材であり、例えば熱可塑性樹脂からなる。軸部は、第二テーパー軸部３５と略同一形状を有する。雄ネジは、連結ネジ４０と略同一形状を有し、軸部から根端側に突出する。グリップは、軸部から先端側に突出する。
作業者は、グリップを専用治具を用いて把持することにより、フィクスチャー１０への異物付着を回避できる。
マウント部材をフィクスチャー１０に連結することにより、第一テーパー穴部１４と第一テーパー軸部２５が密着した状態を維持できる。
【００５８】
最後に、γ線殺菌工程、加熱工程を行う。
γ線殺菌工程を経ると、フィクスチャー本体１１等は濃茶色化してしまう。このため、加熱工程において、１００℃〜３００℃の温度で再加熱して、フィクスチャー本体１１等を色戻し（白色化）する。
【００５９】
このようにして、フィクスチャー１０が製造される。
なお、アバットメント３０の組立工程においては、連結ネジ４０を雌ネジ３６に螺合する。
【００６０】
〔歯科用インプラント治療の二回法〕
図７は、カバー部材９０を連結したフィクスチャー１０を示す縦断面図である。
患者への歯科用インプラント１の装着は、以下の手順に従って行われる。
【００６１】
（一回目の手術）
最初に、フィクスチャー１０を患者の歯槽骨Ｈに埋入する。マウント部材を把持して、フィクスチャー１０を歯槽骨Ｈに形成した穴に挿入する。雄ネジ１２を歯槽骨Ｈに形成した穴に螺合することにより、フィクスチャー１０が歯槽骨Ｈに固定される。
次に、マウント部材を取り外して、カバー部材９０をフィクスチャー１０に装着する。カバー部材９０を中心穴１３に挿入して蓋体２１に螺合する。
カバー部材９０は、フィクスチャー１０が歯槽骨Ｈに骨結合する間に、アバットメント３０に代わって第二テーパー穴部１５を閉塞する。カバー部材９０は、軸部９１、雄ネジ９２、フランジ９３を有する部材であり、例えば熱可塑性樹脂からなる。軸部９１は、第二テーパー軸部３５と略同一形状を有する。雄ネジ９２は、連結ネジ４０と略同一形状を有し、軸部９１から根端側に突出する。フランジ９３は、軸部９１の先端に設けられて、フィクスチャー本体１１の先端面１１ａに密着する。カバー部材９０の先端面９０ａには、六角穴９４が設けられる。
作業者は、六角穴９４に六角レンチ（不図示）を挿入して、カバー部材９０に回転力を付与する。
カバー部材９０をフィクスチャー１０に連結することにより、第一テーパー穴部１４と第一テーパー軸部２５が密着した状態を維持できる。
【００６２】
最後に、歯茎Ｓを縫い合わせる。その後に、歯槽骨Ｈとフィクスチャー１０を例えば３〜６ヶ月程度かけて骨密着させる。
【００６３】
（二回目の手術）
最初に、歯茎Ｓを切開して、患者の歯槽骨Ｈに埋入したフィクスチャー１０からカバー部材９０を取り外す。
次に、フィクスチャー１０にアバットメント３０を連結する。アバットメント３０の第二テーパー軸部３５をフィクスチャー１０の中心穴１３（第二テーパー穴部１５）に挿入する。さらに、アバットメント３０の根端に連結した連結ネジ４０を蓋体２１の雌ネジ２６に螺合する。これにより、第二テーパー穴部１５と第二テーパー軸部３５が密着する。
アバットメント３０の根端面３０ｂは、中心穴１３の底面（先端面２１ａ）に対して僅かな隙間を隔てて近接する。したがって、歯科用インプラント１は、殆ど隙間のない集積体（集成体）となる。
【００６４】
最後に、歯茎Ｓを縫い合わせる。そして、アバットメント３０の本体部３１にインプラントクラウン６を装着する。本体部３１とインプラントクラウン６の間に接着剤やセメント等を配置する。これにより、アバットメント３０とインプラントクラウン６が強固に連結される。
その後に、歯茎Ｓとアバットメント３０を例えば２週間程度かけて癒着させる。
【００６５】
〔歯科用インプラント１の作用〕
フィクスチャー１０は、中心穴１３が全長にわたって貫通するフィクスチャー本体１１と、中心穴１３の根端側開口を閉塞する蓋体２１と、を備える。中心穴１３は、フィクスチャー本体１１を貫通するため、容易に形成でき、欠陥が生じづらい。中心穴１３の根端側開口（第一テーパー穴部１４）は、蓋体２１によりが閉塞されるため、患者への埋入に支障はない。
したがって、フィクスチャー１０を容易に小形化でき、亀裂等の欠陥のある不良品を確実に低減できる。フィクスチャー１０は、フィクスチャー本体１１と蓋体２１を集積（集成）しているため、機械的強度が高くなる。
【００６６】
蓋体２１は、中心穴１３に嵌合する第一軸部２４を有する。このため、中心穴１３の根端側開口（第一テーパー穴部１４）を確実に閉塞できる。
【００６７】
中心穴１３は、根端側から先端側に向かって縮径する第一テーパー穴部１４を有し、第一軸部２４は、根端側から先端側に向かって縮径する第一テーパー軸部２５を有する。このため、第一テーパー穴部１４と第一テーパー軸部２５が密着（テーパー嵌合）する。したがって、フィクスチャー本体１１と蓋体２１の連結が強固になる。
【００６８】
第一テーパー穴部１４と第一テーパー軸部２５は、テーパー角が０．１°から１０°に形成される。第一テーパー軸部２５と第一テーパー穴部１４は、フィクスチャー本体１１の全長の２０％以上、５０％以下の長さを有する。このため、第一テーパー穴部１４と第一テーパー軸部２５が確実に密着して、フィクスチャー本体１１と蓋体２１が強固に連結される。
【００６９】
フィクスチャー本体１１は、回転防止機構を備える。中心穴１３の内面に形成された六角穴部１７を備え、蓋体２１は、第一軸部２４に形成された六角軸部２７を備える。このため、六角穴部１７に六角軸部２７が嵌まり込み、係止爪１８と係止溝２８が当接するので、フィクスチャー本体１１に対する蓋体２１の周方向の回転が抑止される。
【００７０】
従来のセラミックス製のフィクスチャーは、単一の部材であり、機械的強度が成形工程における原料（セラミックス粉末）の流動方向に依存する。
ジルコニア等のセラミックスは多結晶体であるため、紛末射出成形すると、各結晶が流れ方向に配向する。これにより、フィクスチャー等の成形体は、機械的強度の異方性を有する。具体的には、金型内において粉末が流れる方向の機械的強度が高くなり、その直角方向の機械的強度が低くなる。
したがって、従来のセラミックス製のフィクスチャーは、機械的強度の異方性により、特定の方向の機械的強度が弱い。
【００７１】
これに対して、フィクスチャー１０は、フィクスチャー本体１１と蓋体２１を組み合わせた集積体（集成体）である。
従来と同様に、フィクスチャー本体１１と蓋体２１は、セラミックス粉末を射出成形してそれぞれ形成されるため、機械的強度の異方性を有する。
もっとも、フィクスチャー本体１１と蓋体２１は、別々に成形されるので、成形工程における原料の流動方向が異なる。つまり、フィクスチャー本体１１と蓋体２１は、機械的強度の異方性の方向が異なる。
フィクスチャー１０は、フィクスチャー本体１１と蓋体２１を集積（集成）したので、機械的強度の方向性が分散する。言い換えれば、フィクスチャー１０は、フィクスチャー本体１１と蓋体２１の異方性が打ち消されて、等方性に近づく。
よって、フィクスチャー１０は、従来のフィクスチャーに比べて機械的強度が高い。また、フィクスチャー１０を量産したときに、機械的強度のばらつきが少ない。フィクスチャー１０の機械的強度を均一化（安定化）できる。
【００７２】
歯科用インプラント１は、フィクスチャー１０と、中心穴１３（第二テーパー穴部１５）に嵌合する第二テーパー軸部３５を有するアバットメント３０と、を備える。これにより、歯科用インプラント１は、中心穴１３が第一テーパー軸部２５と第二テーパー軸部３５でほぼ完全に埋まって、機械的強度が向上する。
【００７３】
中心穴１３は、先端側から根端側に向かって縮径する第二テーパー穴部１５を有し、第二テーパー軸部３５は、先端側から根端側に向かって縮径する。このため、第二テーパー穴部１５と第二テーパー軸部３５が密着（テーパー嵌合）する。したがって、フィクスチャー本体１１とアバットメント３０の連結が強固になる。
【００７４】
第二テーパー穴部１５と第二テーパー軸部３５は、テーパー角が０．１°から１０°に形成される。第二テーパー穴部１５と第二テーパー軸部３５は、フィクスチャー本体１１の全長の４０％以上、７０％以下の長さを有する。このため、第二テーパー穴部１５と第二テーパー軸部３５が確実に密着して、フィクスチャー本体１１とアバットメント３０が強固に連結される。
【００７５】
アバットメント３０の根端面３０ｂは、中心穴１３の底面（先端面２１ａ）に近接する。このため、歯科用インプラント１は、内部に隙間が殆どなく、機械的強度が向上する。
【００７６】
アバットメント３０は、セラミックス粉末を射出成形してそれぞれ形成される。アバットメント３０は、フィクスチャー本体１１や蓋体２１とは別に成形される。このため、アバットメント３０は、フィクスチャー本体１１等とは成形工程における原料の流動方向が異なる。つまり、アバットメント３０は、フィクスチャー本体１１、蓋体２１とは、機械的強度の異方性の方向が異なる。
歯科用インプラント１は、フィクスチャー本体１１、蓋体２１およびアバットメント３０を集積（集成）したので、機械的強度の方向性が分散する。言い換えれば、歯科用インプラント１は、フィクスチャー本体１１、蓋体２１、アバットメント３０の異方性がそれぞれ打ち消されて、等方性に近づく。
よって、歯科用インプラント１は、従来の歯科用インプラントに比べて機械的強度が高い。また、歯科用インプラント１を量産したときに、機械的強度のばらつきが少ない。歯科用インプラント１の機械的強度を均一化（安定化）できる。
【００７７】
歯科用インプラント１は、蓋体２１とアバットメント３０の間に配置されて、蓋体２１とアバットメント３０に連結する連結ネジ４０を備える。連結ネジ４０は、両端に雄ネジ４２が形成され、雌ネジ２６，３６に螺合する。
連結ネジ４０は、蓋体２１とアバットメント３０に連結して伸びる。連結ネジ４０の復元力（軸力）により、第一テーパー軸部２５が第一テーパー穴部１４に押し付けられ、第二テーパー軸部３５が第二テーパー穴部１５に押し付けられる。
蓋体２１とアバットメント３０が中心軸Ｃに沿って対向配置され、さらにフィクスチャー本体１１に対して押し付けられてテーパー嵌合する。このため、フィクスチャー本体１１、蓋体２１、アバットメント３０が強固に連結される。
【００７８】
連結ネジ４０の雄ネジ４２は、雌ネジ２６と雌ネジ３６に密着する。連結ネジ４０は、雌ネジ２６，３６の間に常に大きな摩擦力を発生させるので、緩みが殆ど発生しない。
したがって、フィクスチャー本体１１、蓋体２１およびアバットメント３０を密着させた堅固な連結状態が長期間に亘って維持される。
【００７９】
連結ネジ４０は、熱可塑性樹脂からなる。特に、ポリエーテルエーテルケトン樹脂からなる。連結ネジ４０は、フィクスチャー１０やアバットメント３０とは異なる材料であるため、音（振動）の伝達特性が異なる。このため、不快な噛み合い音を軽減することができる。
したがって、歯科用インプラント１は、噛み合いによる振動を低減して、不快な噛み合い音の発生を抑制（軽減）できる。
【００８０】
このように、中心穴１３の形成が容易で、亀裂等の欠陥が発生しづらいフィクスチャー１０を実現できる。特に、セラミックス製のフィクスチャー１０において、中心穴１３における欠陥の発生を防止できる。したがって、フィクスチャー１０および歯科用インプラント１を確実に小形化できる。
フィクスチャー１０および歯科用インプラント１は、複数の部材を組み合わせた集積体（集成体）であるため、確実に高強度化できる。特に、セラミックス製のフィクスチャー１０および歯科用インプラント１は、各部材の機械的強度の異方性が緩和（方向性を分散）されて、高強度化する。
【００８１】
歯科用インプラント１は、フィクスチャー１０とアバットメント３０を連結ネジ４０により連結したので、堅固な連結状態を長期間に亘って維持できる。
歯科用インプラント１は、連結ネジ４０が噛み合いによる振動を低減して、不快な噛み合い音の発生を抑制（軽減）できる。
【００８２】
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００８３】
例えば、上述した実施形態においては、歯科用インプラントを一例に説明したが、人工股関節であってもよい。本発明に係るフィクスチャー及びインプラントは、人工股関節のフィクスチャー及びインプラントに用いることができる。
【００８４】
フィクスチャー１０（フィクスチャー本体１１、蓋体２１）、アバットメント３０、インプラントクラウン６等の部材は、アルミナ（酸化アルミニウム）や酸化イットリウム、酸化ハフニウム、酸化シリコーン、酸化マグネシウム、酸化セリウム等の生体適合性セラミックス材料で形成してもよい。
これらの部材は、ジルコニアと金属や合金とを組み合わせたものであってもよい。金属や合金とは、銅、チタン、チタン合金等である。
これらの部材は、ジルコニアと、カーボンや樹脂やガラス等とを組み合わせたものであってもよい。
これらの部材は、チタンやチタン合金等の金属材料で形成してもよい。
【００８５】
第二テーパー穴部１５と第一テーパー穴部１４は、テーパー形状に限らず、ストレート形状（円筒形状）の穴であってもよい。
第一テーパー軸部２５と第二テーパー軸部３５は、テーパー形状に限らず、ストレート形状（円柱形状）の軸であってもよい。
【００８６】
歯科用インプラント１は、前歯（上前歯）用のインプラントに限らず、奥歯用のインプラントであってもよい。
【００８７】
インプラント（歯科用インプラント、人工股関節インプラント）は、人間に限らず、犬や猫等のペット、牛や馬等の家畜に適用される場合であってもよい。
【００８８】
第一テーパー穴部１４と第一テーパー軸部２５の間に接着剤やセメント等を配置してもよい。これにより、フィクスチャー本体１１と蓋体２１がさらに強固に連結される。
第二テーパー穴部１５と第二テーパー軸部３５の間に接着剤やセメント等を配置（塗布）してもよい。これにより、フィクスチャー本体１１とアバットメント３０がさらに強固に連結される。
【００８９】
第一テーパー穴部１４と第一テーパー軸部２５、第二テーパー穴部１５と第二テーパー軸部３５は、それぞれ同一の長さに限らない。
第一テーパー穴部１４と第二テーパー穴部１５が連続して形成される場合に限らない。第一テーパー穴部１４と第二テーパー穴部１５の間に、非テーパー穴部を設けてもよい。
【００９０】
回転防止機構は、六角穴部１７と六角軸部２７に限らない。六角形以外の形状であってもよい。回転防止機構は、フィクスチャー本体１１の根端と蓋体２１の傘部２２に設けてもよい。
【００９１】
六角穴部１７は、第一テーパー穴部１４の一部に形成される（一体的に形成される）場合に限らない。六角軸部２７は、第一テーパー軸部２５の一部に形成される場合に限らない。六角穴部１７と第一テーパー軸部２５、六角軸部２７と第一テーパー穴部１４は、それぞれ分離して形成されてもよい。
【００９２】
連結ネジ４０は、全長に亘って雄ネジ４２が形成される場合に限らない。両端に雄ネジ４２が形成されいればよい。
連結ネジ４０は、ネジ軸（雄ネジ）に限らず、ナット（雌ネジ）であってもよい。つまり、蓋体２１の先端とアバットメントの根端にそれぞれ雄ネジを形成し、この雄ネジにナット形の連結ネジを螺合してもよい。
【符号の説明】
【００９３】
１  歯科用インプラント（インプラント）    ６  インプラントクラウン    １０  フィクスチャー    １１  フィクスチャー本体    １１ａ  先端面    １１ｂ  根端面    １２  雄ネジ    １３  中心穴    １４  第一テーパー穴部    １５  第二テーパー穴部    １７  六角穴部（被係止部）    １８  係止爪    ２１  蓋体    ２１ａ  先端面    ２２  傘部    ２４  第一軸部    ２５  第一テーパー軸部    ２６  雌ネジ    ２７  六角軸部（係止部）    ２８  係止溝    ３０  アバットメント    ３０ｂ  根端面    ３１  本体部    ３５  第二テーパー軸部（第二軸部）    ３６  雌ネジ    ４０  連結ネジ（弾性部材）    ４２  雄ネジ    ４３  六角頭    ４４  六角穴    Ｃ  中心軸    Ｈ  歯槽骨（骨）    Ｓ  歯茎    
【図１】
2018015596.tif 000003
【図２】
2018015596.tif 000004
【図３】
2018015596.tif 000005
【図４】
2018015596.tif 000006
【図５】
2018015596.tif 000007
【図６】
2018015596.tif 000008
【図７】
2018015596.tif 000009